(57)【特許請求の範囲】
【請求項１】
画像信号を取得する画像信号取得部と、
前記画像信号取得部が取得した画像信号に基づき画像を表示する画像表示部と、
前記画像表示部の動作を制御する制御部と、
操作信号を受け取って前記制御部に出力する操作信号入力部と、
を備え、
前記操作信号入力部は、
圧力検出値を含んだ前記操作信号を受け取って前記制御部に出力し、
前記制御部は、
前記圧力検出値の大小に応じて効果範囲を定めた強調表示を行うよう前記画像表示部に指示するものであり、前記画像信号を当該画像の横方向に走査して当該画像信号の色彩変化の傾向を取得し、走査線上に同色部分が繰り返し出現する場合は、当該画像は文字画像であると判定し、当該画像が文字画像であると判定した上で前記強調表示を行うよう前記画像表示部に指示する際は、当該画像信号の文字部分の範囲に合わせて強調表示を行うよう前記画像表示部に指示し、
前記画像表示部は、
その指示に基づき前記画像信号に強調表示効果を重畳して当該画像を表示する
ことを特徴とする画像表示装置。
【請求項２】
前記制御部は、
前記画像信号が文字を表示する画像信号であると判定した場合において、
前記圧力検出値に応じて前記強調表示の効果範囲を拡大するよう前記画像表示部に指示する際は、
当該強調表示の横方向の拡大量を、縦方向の拡大量よりも大きくする
ことを特徴とする請求項１に記載の画像表示装置。
【請求項３】
前記画像表示部の各画素に対応した画素データを保持するビデオメモリを備え、
前記ビデオメモリは、
前記画像信号を当該画像の横方向に走査して得られる順に前記画素データを保持し、
前記制御部は、
前記画像信号の色彩変化の傾向を取得する際に、
前記ビデオメモリに順アクセスして当該画像信号に対応する画素データを走査する
ことを特徴とする請求項１または請求項２に記載の画像表示装置。
【請求項４】
前記制御部は、
前記画像信号が文字を表示する画像信号でないと判定した場合は、
前記強調表示のアスペクト比を当該画像信号のアスペクト比に合わせる
ことを特徴とする請求項１ないし請求項３のいずれかに記載の画像表示装置。
【請求項５】
前記操作信号入力部は、
カーソルを表示または消去すべき旨の前記操作信号を受け取って前記制御部に出力し、
前記制御部は、
その操作信号に基づきカーソルを表示または消去するよう前記画像表示部に指示し、
前記画像表示部は、
その指示に基づき前記画像信号にカーソルを重畳しまたは消去して当該画像を表示する
ことを特徴とする請求項１ないし請求項４のいずれかに記載の画像表示装置。
【請求項６】
前記操作信号入力部は、
加速度検出値を含んだ前記操作信号を受け取って前記制御部に出力し、
前記制御部は、
前記加速度検出値が表す加速度の方向に前記カーソルを移動するよう前記画像表示部に指示し、
前記画像表示部は、その指示に基づき前記カーソルを移動した当該画像を表示する
ことを特徴とする請求項５に記載の画像表示装置。
【請求項７】
前記制御部は、
前記画像表示部が前記画像信号にカーソルを重畳して当該画像を表示している場合において、
前記操作信号入力部より前記圧力検出値を含んだ前記操作信号を受け取ると、
前記カーソルを消去して前記強調表示を行うよう前記画像表示部に指示し、
前記画像表示部は、
その指示に基づき前記カーソルを消去して前記強調表示を重畳した当該画像を表示する
ことを特徴とする請求項５または請求項６に記載の画像表示装置。
【請求項８】
前記制御部は、
前記画像表示部が前記強調表示を行っている場合において、
前記圧力検出値を含んだ前記操作信号の入力が途切れると、
前記強調表示を解除して前記カーソルを元の位置に表示するよう前記画像表示部に指示し、
前記画像表示部は、
その指示に基づき前記強調表示を解除して前記カーソルを元の位置に重畳した当該画像を表示する
ことを特徴とする請求項７に記載の画像表示装置。
【請求項９】
前記画像表示部は、
前記画像信号に楕円形の強調表示効果を重畳して当該画像を表示する
ことを特徴とする請求項１ないし請求項８のいずれかに記載の画像表示装置。
【請求項１０】
画像信号を取得する工程と、
取得した画像信号に基づき画像を表示する工程と、
圧力検出値を含んだ操作信号を受け取り、前記圧力検出値の大小に応じて効果範囲を定めた強調表示を行う工程とを有し、
前記強調表示を行う工程では、前記画像信号を当該画像の横方向に走査して当該画像信号の色彩変化の傾向を取得し、走査線上に同色部分が繰り返し出現する場合は、当該画像は文字画像であると判定し、当該画像が文字画像であると判定した上で前記強調表示を行う際は、当該画像信号の文字部分の範囲に合わせて前記画像信号に強調表示効果を重畳する
ことを特徴とする画像表示方法。
【発明の詳細な説明】
【技術分野】
【０００１】
本発明は、画像表示装置および画像表示方法に関するものである。
【背景技術】
【０００２】
従来、投写型表示装置に関し、『スクリーン上の画面で特定位置をカーソル指示しながら講演できる投写型表示装置を提供すること』を課題とした技術として、『パソコンによって駆動される液晶プロジェクタ１１を備え、液晶パネル１３の画像が光源１２からの光によってスクリーン１５に投写される。スクリーン１５にレーザポインタ１９からの赤外線光線がスポット光像として投写され、このスポット光像がレンズ１７を介してイメージセンサ１７で画像信号として読み取られ、その座標位置が座標検出器２０で検出されてパソコンに入力される。そして、このパソコンにおいてスポット光像の座標位置にマウスカーソル画像を作成し、スクリーン１５上に表示させる。』というものが提案されている（特許文献１）。
【０００３】
また、プロジェクタに関し、『簡易な構造でスクリーンに投射されるポインタの操作をすることが可能なプロジェクタの提供』を目的とした技術として、『空間中でリモコンを動かすことにより、スクリーンに投射されるポインタを操作するプロジェクタにおいて、上記リモコンは、ポインタの表示の切替を行うオン／オフボタンと、ポインタの移動軌跡を表示する軌跡用ボタンと、同リモコンの前後方向をＹ軸、幅方向をＸ軸とし、上記Ｙ軸に対して略平行方向の加速度を検出するとともに、同リモコンのＹ軸方向の傾きを検出するＹ軸方向加速度センサと、上記Ｘ軸に対して平行方向の加速度を検出するとともに、上記Ｘ軸方向の傾きを検出するＸ軸方向加速度センサと、上記Ｙ軸方向加速度センサとＸ軸方向加速度センサからの傾き量を基に、上記ポインタを動かすためのポインタ操作信号を生成するポインタ演算手段とを有する。』というものが提案されている（特許文献２）。
【０００４】
【特許文献１】特開平９−８０３７２号公報（要約）
【特許文献２】特開２００７−２４８７１０号公報（要約）
【発明の開示】
【発明が解決しようとする課題】
【０００５】
プロジェクタのような画像表示機器を用いたプレゼンテーションでは、表示コンテンツの訴求点を効果的に強調することが重要である。そのためには、プレゼンテータが画像表示機器を直感的に操作して訴求点を視聴者の感覚に訴えかけ易くすることが効果的であり、画像表示機器はこれを補助する機能を備えることが望ましい。
【０００６】
しかし、上記特許文献１〜２に記載の技術は、訴求点を強調することに関し直感的な操作が行える機能を備えたものではなく、そのような機能を備えた画像表示装置や、そのための操作入力を行う操作装置が望まれている。
【０００７】
本発明は、上記のような課題を解決するためになされたものであり、訴求点を強調することに関し直感的な操作を行うことのできる画像表示装置および画像表示方法を提供することを目的とする。
【課題を解決するための手段】
【００１２】
本発明に係る画像表示装置は、画像信号を取得する画像信号取得部と、前記画像信号取得部が取得した画像信号に基づき画像を表示する画像表示部と、前記画像表示部の動作を制御する制御部と、操作信号を受け取って前記制御部に出力する操作信号入力部と、を備え、前記操作信号入力部は、圧力検出値を含んだ前記操作信号を受け取って前記制御部に出力し、前記制御部は、前記圧力検出値の大小に応じて効果範囲を定めた強調表示を行うよう前記画像表示部に指示するものであり、前記画像信号を当該画像の横方向に走査して当該画像信号の色彩変化の傾向を取得し、走査線上に同色部分が繰り返し出現する場合は、当該画像は文字画像であると判定し、当該画像が文字画像であると判定した上で前記強調表示を行うよう前記画像表示部に指示する際は、当該画像信号の文字部分の範囲に合わせて強調表示を行うよう前記画像表示部に指示し、前記画像表示部は、その指示に基づき前記画像信号に強調表示効果を重畳して当該画像を表示する。
そのため、ユーザは圧力を加えることで強調表示を指示する操作信号を出力する操作装置を用いて、訴求点を強調する指示を直感的な操作で行うことができ、当該画像表示装置を用いるユーザを効果的にサポートすることができる。
また、文字画像部分を自動的に識別してクローズアップした強調表示を行うことができ、当該画像表示装置を用いて文字画像部分を強調したいユーザを効果的にサポートすることができる。
【００１３】
また、本発明に係る画像表示装置において、前記制御部は、前記画像信号を当該画像の横方向に走査して当該画像信号の色彩変化の傾向を取得し、走査線上に同色部分が繰り返し出現する場合は、当該画像は文字画像であると判定し、当該画像が文字画像であると判定した上で前記強調表示を行うよう前記画像表示部に指示する際は、当該画像信号の文字部分の範囲に合わせて強調表示を行うよう指示する。
そのため、文字画像部分を自動的に識別してクローズアップした強調表示を行うことができ、当該画像表示装置を用いて文字画像部分を強調したいユーザを効果的にサポートすることができる。
【００１４】
また、本発明に係る画像表示装置において、前記制御部は、前記画像信号が文字を表示する画像信号であると判定した場合において、前記圧力検出値に応じて前記強調表示の効果範囲を拡大するよう前記画像表示部に指示する際は、当該強調表示の横方向の拡大量を、縦方向の拡大量よりも大きくする。
そのため、ユーザが訴求したい文字画像部分をより適切に強調した、効果的な強調表示を行うことができ、当該画像表示装置を用いて文字画像部分を強調したいユーザを効果的にサポートすることができる。
【００１５】
また、本発明に係る画像表示装置は、前記画像表示部の各画素に対応した画素データを保持するビデオメモリを備え、前記ビデオメモリは、前記画像信号を当該画像の横方向に走査して得られる順に前記画素データを保持し、前記制御部は、前記画像信号の色彩変化の傾向を取得する際に、前記ビデオメモリに順アクセスして当該画像信号に対応する画素データを走査する。
そのため、制御部はビデオメモリに画素データが格納されている物理アドレスの順に順次アクセスして画素データを取得することができるので、画素データの取得を高速に行うことができる。
【００１６】
また、本発明に係る画像表示装置において、前記制御部は、前記画像信号が文字を表示する画像信号でないと判定した場合は、前記強調表示のアスペクト比を当該画像信号のアスペクト比に合わせる。
そのため、一般画像を表示している場合において、視聴者の視線を強調表示の中心に誘導する効果を発揮し、当該画像表示装置を用いて訴求点を強調したいユーザを効果的にサポートすることができる。
【００１７】
また、本発明に係る画像表示装置において、前記操作信号入力部は、カーソルを表示または消去すべき旨の前記操作信号を受け取って前記制御部に出力し、前記制御部は、その操作信号に基づきカーソルを表示または消去するよう前記画像表示部に指示し、前記画像表示部は、その指示に基づき前記画像信号にカーソルを重畳しまたは消去して当該画像を表示する。
そのため、ユーザは簡易な操作でカーソルのＯＮ／ＯＦＦを切り替えることができ、ユーザの操作性が増す効果がある。
【００１８】
また、本発明に係る画像表示装置において、前記操作信号入力部は、加速度検出値を含んだ前記操作信号を受け取って前記制御部に出力し、前記制御部は、前記加速度検出値が表す加速度の方向に前記カーソルを移動するよう前記画像表示部に指示し、前記画像表示部は、その指示に基づき前記カーソルを移動した当該画像を表示する。
そのため、ユーザは加速度を加えることで移動を指示する操作信号を出力する操作装置を用いて、カーソルを移動させる指示を直感的な操作で行うことができ、当該画像表示装置を用いるユーザを効果的にサポートすることができる。
【００１９】
また、本発明に係る画像表示装置において、前記制御部は、前記画像表示部が前記画像信号にカーソルを重畳して当該画像を表示している場合において、前記操作信号入力部より前記圧力検出値を含んだ前記操作信号を受け取ると、前記カーソルを消去して前記強調表示を行うよう前記画像表示部に指示し、前記画像表示部は、その指示に基づき前記カーソルを消去して前記強調表示を重畳した当該画像を表示する。
そのため、ユーザは上記のような操作でカーソルの移動と強調表示を行う操作装置を用いて、強調表示の位置と、カーソル表示／強調表示の切り替えとを、直感的な操作で行うことができる。
【００２０】
また、本発明に係る画像表示装置において、前記制御部は、前記画像表示部が前記強調表示を行っている場合において、前記圧力検出値を含んだ前記操作信号の入力が途切れると、前記強調表示を解除して前記カーソルを元の位置に表示するよう前記画像表示部に指示し、前記画像表示部は、その指示に基づき前記強調表示を解除して前記カーソルを元の位置に重畳した当該画像を表示する。
そのため、ユーザは強調表示を指示するときと逆の操作で強調表示をＯＦＦすることができ、強調表示を行うときと同様の直感的な操作性が、強調表示をＯＦＦする際にも同様に維持される。
【００２１】
また、本発明に係る画像表示装置において、前記画像表示部は、前記画像信号に楕円形の強調表示効果を重畳して当該画像を表示する。
そのため、視聴者の視線を強調表示の中心部分に誘導しやすい、効果的な強調表示を行うことができる。
【００２２】
また、本発明に係る画像表示方法は、画像信号を取得する工程と、取得した画像信号に基づき画像を表示する工程と、圧力検出値を含んだ操作信号を受け取り、圧力検出値の大小に応じて効果範囲を定めた強調表示を行う工程とを有し、強調表示を行う工程では、画像信号を画像の横方向に走査して画像信号の色彩変化の傾向を取得し、走査線上に同色部分が繰り返し出現する場合は、画像は文字画像であると判定し、画像が文字画像であると判定した上で強調表示を行う際は、画像信号の文字部分の範囲に合わせて画像信号に強調表示効果を重畳する。
そのため、ユーザは圧力を加えることで強調表示を指示する操作信号を出力する操作装置を用いて、訴求点を強調する指示を直感的な操作で行うことができ、ユーザを効果的にサポートすることができる。
また、文字画像部分を自動的に識別してクローズアップした強調表示を行うことができ、文字画像部分を強調したいユーザを効果的にサポートすることができる。
【発明を実施するための最良の形態】
【００２３】
実施の形態１．
図１は、本発明の実施の形態１に係る操作装置１００の外観図である。
操作装置１００は、後述する画像表示装置２００のような電子機器を操作するための装置であり、操作信号出力部１１０、グリップ部１２０、圧力センサ１３０、ボタン１４０、係止部１５０ａおよび１５０ｂ、加速度センサ１６０を備える。
【００２４】
操作信号出力部１１０は、操作装置１００の本体筐体内部に配置され、またはその一部を操作装置１００の本体筐体外部に外出し、ユーザが操作装置１００を用いて行った操作内容に対応した操作信号を出力する。ユーザが操作装置１００を用いて行うことのできる操作内容については、後述する。
信号形式は、有線・無線いずれのものでもよいが、操作性を考慮すると無線通信を用いる信号形式であることが好ましい。有線の場合は、操作信号出力部１１０と被操作機器をケーブルなどで接続する。
【００２５】
グリップ部１２０は、ユーザが握ることができるように、２枚の板体をヒンジ部でつなぎ合わせたような構成となっている。ユーザがグリップ部１２０を握ると２枚の板体が閉じられ、握りを離すとバネなどの付勢手段で板体が元の位置に戻るようになっている。
また、ユーザが握りやすいように、操作装置１００のグリップ部１２０周辺の形状は流線形に構成され、ユーザの手の形にフィットするようになっている。
グリップ部１２０の形状は必ずしもこれに限られるものではなく、例えば握ると凹む柔らかな素材で構成してもよい。
【００２６】
圧力センサ１３０は、操作装置１００の本体筐体内部に配置され、ユーザがグリップ部１２０を握ることで加えられる圧力値を検出する。
ボタン１４０は、ユーザが押下できるように構成されており、例えばＯＮ／ＯＦＦのように２値で制御できる操作入力を行うためのものである。
【００２７】
係止部１５０ａおよび１５０ｂは、グリップ部１２０の上下にそれぞれ設けられており、ユーザがグリップ部１２０を握って操作装置１００を操作している際に、ユーザの手がグリップ部１２０から滑って操作装置１００を手離してしまうようなことを防ぐ、滑り止めの役目を果たす。
係止部１５０ａおよび１５０ｂの形状は任意のものでよいが、グリップ部１２０を流線形に構成したこととの兼ね合いから、係止部１５０ａおよび１５０ｂも流線形の凸形状に構成しておくと、意匠的な調和が取れて好ましい。
また、図１ではグリップ部１２０の上下に係止部１５０を設けた構成を示したが、上下のいずれか一方のみでも、その部分に関して滑り止め効果を発揮できることに変わりはない。
【００２８】
加速度センサ１６０は、操作装置１００の本体筐体内部に配置され、ユーザが操作装置１００を手に持って空中で振り回すなどして動かした際に、操作装置１００に加えられる加速度を検出する。
【００２９】
以上、操作装置１００の外観的な構成を説明した。
次に、操作装置１００の内部的な機能構成について説明する。
【００３０】
図２は、操作装置１００の内部的な機能ブロック図である。操作装置１００は、図１で説明した各構成部の他に、信号回路１７０、ＣＰＵ（Ｃｅｎｔｒａｌ  Ｐｒｏｃｅｓｓｉｎｇ  Ｕｎｉｔ）１８０を備える。なお、図２において、図１と同じ構成部は同じ符号を付している。
【００３１】
信号回路１７０は、圧力センサ１３０および加速度センサ１６０から、各センサの検出値を表す信号を受け取り、デジタル信号化するなどの必要な処理を適宜施して、ＣＰＵ１８０に出力する。
また、ボタン１４０が押下された際に出力する信号を受け取り、デジタル信号化するなどの必要な処理を適宜施して、ＣＰＵ１８０に出力する。
【００３２】
ＣＰＵ１８０は、圧力センサ１３０、ボタン１４０、加速度センサ１６０が出力した信号を信号回路１７０より受け取り、これらの内容に対応した操作信号に変換して、操作信号出力部１１０を介して出力する。
ここでいう操作信号とは、被操作機器に対する操作を指示伝達するための信号であり、被操作機器が備える操作信号入力部の仕様に合わせた信号形式で出力されるものである。また、操作信号の内容は、被操作機器の操作内容に対応したものとされる。
操作装置１００を用いて行うことのできる操作内容は、後述する。
【００３３】
操作信号出力部１１０は、ＣＰＵ１８０より受け取る操作信号を、被操作機器が受信可能な信号形式に適宜変換するため、必要な信号変換回路などを適宜備える。例えば無線通信により被操作機器と通信して操作信号を出力する場合は、信号形式を無線通信に係る信号形式に変換する。
【００３４】
以上、操作装置１００の内部的な機能構成について説明した。
次に、操作装置１００を用いた具体的な操作内容について、図３〜図５を用いて説明する。なお、以下の説明における被操作対象は、画像を画面表示する画像表示装置２００であるとする。
【００３５】
図３は、画像表示装置２００にカーソル３００を表示させる操作を示すものである。
ユーザは、画像表示装置２００にカーソル３００を表示させるときは、操作装置１００のボタン１４０を押下する。すると、信号回路１７０、ＣＰＵ１８０を介して、ボタン１４０が押下された旨の操作信号が操作信号出力部１１０より出力される。
画像表示装置２００は、その操作信号を受け取り、画像を表示している画面上にカーソル３００を重畳して表示する。
カーソル表示をＯＦＦするときは、再度ボタン１４０を押下する。
【００３６】
図４は、カーソル３００を移動させる操作を示すものである。
ユーザは、画像表示装置２００が表示しているカーソル３００を移動させるときは、カーソル３００を移動させたい方向に操作装置１００本体を動かす。
すると、そのとき操作装置１００に加えられた加速度を加速度センサ１６０が検出し、信号回路１７０、ＣＰＵ１８０を介して、その加速度検出値に対応した操作信号が操作信号出力部１１０より出力される。
画像表示装置２００は、その操作信号を受け取り、画面上のカーソル３００を、ユーザが操作装置１００を動かした方向に向けて移動させる。
【００３７】
また、操作装置１００を動かす速度を速くしたり遅くしたりすると、それが加速度の検出値に反映されるため、これに基づきカーソル３００を移動させる速さを速くしたり遅くしたりすることもできる。
【００３８】
ユーザは、カーソル３００を移動させたいときは、移動させたい方向に向けて操作装置１００本体を動かすという直感的な操作を行えばよい。そのため、ユーザにとって操作感が増し、例えばプレゼンテーションを行っているのであれば、その説明にも熱が入りやすく、聴取者の印象に残る効果的なプレゼンテーションを行いやすい。
このように、操作装置１００は、図４の動作により画像表示装置２００を用いるユーザを効果的に補助する機能を発揮する。
【００３９】
図５は、カーソル３００の位置を強調表示する操作を示すものである。
ユーザは、画像表示装置２００に強調表示をさせるときは、操作装置１００のグリップ部１２０を握る。すると、そのときグリップ部１２０に加えられた圧力を圧力センサ１３０が検出し、信号回路１７０、ＣＰＵ１８０を介して、その圧力検出値に対応した操作信号が操作信号出力部１１０より出力される。
画像表示装置２００は、その操作信号を受け取り、その時点で画面上にカーソル３００が表示されている位置を強調表示する。
【００４０】
ユーザがグリップ部１２０を握ると、カーソル３００が画面上から消去され、カーソル３００が表示されていた位置に強調表示が施される。
その後、ユーザがグリップ部１２０を離すと、圧力検出値を含む操作信号の入力が途切れ、画像表示装置２００はこれを検出し、再度カーソル３００を元の位置に表示する。
その後さらにユーザがボタン１４０を押下すると、カーソル３００の表示がＯＦＦされる。
【００４１】
ここでいう強調表示とは、例えば画像表示装置２００を用いてプレゼンテーションを行っているユーザが、強調したい訴求点を表示している部分を他の部分よりも目立たせるような表示効果を加える画面表示動作のことをいう。
強調表示の１例として、カーソル３００の周辺を楕円で覆い、目立つ色彩を楕円内に付す、あるいは楕円内の明度を上げてその部分を際立たせる、といった手法が考えられる。
【００４２】
なお、強調表示を施す範囲の大きさは、ユーザがグリップ部１２０を握る強さで可変することができる。
具体的な実装例としては、グリップ部１２０に加えられた圧力を圧力センサ１３０が検出した際に、その圧力検出値に対応した操作信号が操作信号出力部１１０より出力されるので、画像表示装置２００は、その圧力検出値を取得し、値の大小に応じて強調効果の範囲の大きさを可変する、という手法が考えられる。
【００４３】
また、強調表示を行っている最中でも、ユーザがグリップ部１２０を握る強さを変化させた場合は、これに対応した操作信号を操作信号出力部１１０より出力し、画像表示装置２００は、その操作信号に応じて強調表示の範囲の大きさを逐次可変し、強調表示に動きを与えることもできる。
【００４４】
一般に、ユーザがプレゼンテーションの訴求点に係る説明を行っているときは、自然と体に力がこもり、説明が熱を帯びてくる、といったことがある。そのため、訴求点を強調表示するときに、グリップ部１２０の握り加減で強調表示の範囲の大きさを可変する操作は、ユーザの力の入り具合と感覚的によく適合し、直感的な操作でプレゼンテーションの訴求効果を発揮することができると言える。
このように、操作装置１００は、図５の動作により画像表示装置２００を用いるユーザが訴求点を説明する際に、これを効果的に補助する機能を発揮する。
【００４５】
以上のように、本実施の形態１によれば、操作装置１００は、グリップ部１２０に加えられた圧力を検出する圧力センサ１６０を備え、その圧力検出値に応じた操作信号を操作信号出力部１１０より出力する。
したがって、ユーザが画像表示装置２００に強調表示を行うよう指示する際は、グリップ部１２０を握るだけでよく、また握り具合に応じて強調表示の範囲の大きさが可変されるので、直感的な操作で訴求点を強調するよう指示することができる。
【００４６】
また、本実施の形態１によれば、操作装置１００はボタン１４０を備え、ユーザはこれを押下することで画像表示装置２００にカーソルをＯＮ／ＯＦＦさせることができる。
そのため、簡易な操作でカーソル表示を切り替えることができるので、ユーザにとって操作性が向上する効果がある。
【００４７】
また、本実施の形態１によれば、操作装置１００は、ユーザが操作装置１００を動かす際に加えられる加速度を加速度センサ１６０で検出し、その加速度検出値に応じた操作信号を操作信号出力部１１０より出力する。
したがって、ユーザが画像表示装置２００にカーソル３００を移動するよう指示する際は、移動させたい方向に操作装置１００を動かすだけでよく、またカーソル３００の移動速度も操作装置１００を動かす速度を可変すればよいので、直感的な操作でカーソルを操作することができる。
【００４８】
また、本実施の形態１によれば、操作装置１００は係止部１５０ａおよび１５０ｂを備えるので、ユーザが操作装置１００を動かしている際に、ユーザの手から操作装置１００が滑り落ちてしまうことを防止でき、周辺に存在する機器やユーザの安全の観点から好ましい。
【００４９】
また、本実施の形態１によれば、グリップ部１２０や係止部１５０ａ〜１５０ｂを流線形に構成し、操作装置１００がユーザの手にフィットして操作感を向上させるとともに、意匠的にも優れた操作装置１００を提供することができる。
【００５０】
実施の形態２．
実施の形態１では、操作装置１００の構成や操作の仕方について説明した。
本発明の実施の形態２では、画像表示装置２００の構成や動作の詳細を説明する。操作装置１００の構成と動作は、実施の形態１で説明したものと同様であるものとし、説明を省略する。
なお、以下の説明では、画像表示装置２００の具体的な１構成として、画像表示装置２００がプロジェクション機能を備える場合を説明するが、画像表示装置２００の画像表示機能は必ずしもプロジェクション機能に限られるものではなく、例えば画面表示デバイスを備えた装置で画像表示機能を構成してもよい。
【００５１】
図６は、本実施の形態２に係る画像表示装置２００の機能ブロック図である。
画像表示装置２００は、操作信号入力部２１０、制御部２２０、ビデオメモリ２３０、画像表示部２４０、画像信号取得部２５０を備える。
【００５２】
操作信号入力部２１０は、操作装置１００が出力した操作信号を受け取り、デジタル化するなどの必要な処理を適宜施して、制御部２２０に出力する。
制御部２２０は、画像表示装置２００全体の動作を制御するものであり、また、操作信号入力部２１０が受け取った操作信号に基づき、画像表示部２４０の動作を制御する。
ビデオメモリ２３０は、画像表示部２４０が表示する画像の画素データを保持する。画素データの構成については、後述の図７〜図８で改めて説明する。
【００５３】
画像表示部２４０は、光源、投射光学系などの画像投射に必要な構成を適宜備え、ビデオメモリ２３０が保持している画素データに基づき、その画像を図示しないスクリーンに投射するものである。
画像信号取得部２５０は、画像表示装置２００が表示するための入力画像信号を取得して制御部２２０に出力する。具体的には、以下の（１）（２）に挙げる例のようにして、入力画像信号を取得することができる。
（１）入力端子から画像信号の供給を受ける。
（２）メモリカードに画像データを格納しておき、所定のスロットにそのメモリカードを差し込んで、同画像データを取得する。
【００５４】
なお、上述の画素データとは、画像表示部２４０に画素単位で供給するための画像データである。
原則として、表示画像の全ての画素について画素データを事前にビデオメモリ２３０内に構成しておき、画像表示部２４０は、この画素データに基づき画像表示を行う。本実施の形態２においては、スクリーンに投射する画像の１画素毎に、ビデオメモリ２３０内に画素データが構成される。
【００５５】
図７は、ビデオメモリ２３０のレイヤ構成を説明するものである。
ビデオメモリ２３０は、少なくとも（ａ）画像レイヤ、（ｂ）効果レイヤ、（ｃ）カーソルレイヤ、の３領域を有する。各領域には、以下のような画素データが格納される。
【００５６】
（ａ）画像レイヤ
画像表示部２４０が表示するための画像そのものの画素データが格納される。
（ｂ）効果レイヤ
強調表示効果部分のみの画素データが格納される。画像表示部２４０は、画像レイヤと効果レイヤの画素データを重ね合わせ、最終的な表示画像を構成する。
（ｃ）カーソルレイヤ
カーソル３００部分のみの画素データが格納される。画像表示部２４０は、カーソル３００を表示する際は、画像レイヤ〜カーソルレイヤの各画素データを重ね合わせ、最終的な表示画像を構成する。
【００５７】
各レイヤの画素データを重ね合わせる際に、上位レイヤの画素データで下位レイヤの画素データを完全に上書きするようにしてもよいが、上位レイヤに透過度を設定し、下位レイヤの画素データを透過的に表示させるように重ね合わせを行ってもよい。
画素データの透過度をセットする際は、個々の画素データを格納するメモリ領域に、透過度の数値を格納するために必要な領域を確保しておく。
最も簡単な手法としては、ＲＧＢ３色分の画素データ２４ビットに加えて、透過度を格納する領域８ビット分を加え、各画素ごとに３２ビット分のメモリ領域を確保する手法が考えられる。
【００５８】
なお、図７では、画素の重ね合わせをイメージするため、各レイヤをそのまま上に重ね合わせていくように平面的なイメージで記載したが、実際にビデオメモリ２３０内に画素データを格納する際は、ビデオメモリ２３０の物理アドレスの順に直列的に格納されることを付言しておく。
【００５９】
図８は、ビデオメモリ２３０が保持する画素データの格納順を説明するものである。
図８の例に即して説明すると、ビデオメモリ２３０には、表示画像の左上の画素データから開始して、表示画像を右方向に走査して得られる画素の順に、画素データが格納される。走査が表示画像の右端まで到達すると、１画素下がって再度左端の画素から順に走査して得られる画素の順で格納される。
このように、ビデオメモリ２３０内に画素データを格納する順を、表示画像を横方向に走査して得られる画素の順と一致させておくと、後に画素データを当該画像の横方向に走査するときに役立つ。詳しくは、後述の実施の形態３で改めて説明する。
【００６０】
以上、画像表示装置２００の各構成部について説明した。
次に、画像表示装置２００が操作信号を受け付けた際の動作について、以下のステップ（１）〜（３）で説明する。
【００６１】
（１）画像信号の取得と表示
画像信号取得部２５０は、先に述べた方法で画像信号を取得し、制御部２２０に出力する。制御部２２０は、受け取った画像信号に基づき、ビデオメモリ２３０内に表示画像の画素データを構成する。画像表示部２４０は、その画素データに基づき、スクリーンに画像投射を行う。
【００６２】
（２）操作信号の出力と受け付け
ユーザは、操作装置１００を操作し、操作装置１００はその操作信号を画像表示装置２００に出力する。操作信号入力部２１０は、その操作信号を受け付け、制御部２２０に出力する。
ここでいう操作とは、実施の形態１の図３〜図５で説明したような操作のことである。
【００６３】
（３）操作信号に対応した操作の実行
制御部２２０は、受け取った操作信号に基づき、強調表示効果を施す場合は（ｂ）効果レイヤに、カーソルの表示や移動を行う場合は（ｃ）カーソルレイヤに、それぞれの操作信号の内容を反映した画素データを構成する。
画像表示部２４０は、その画素データに基づき、スクリーンに画像投射を行う。投射される画像の内容は、実施の形態１の図３〜図５で説明したものと同様であるため、説明は省略する。
【００６４】
以上のステップ（１）〜（３）の動作により、画像表示装置２００は、画像信号取得部２５０が取得した画像信号に基づき画像表示を行い、また、ユーザが操作装置１００を用いて行った操作入力を、表示画像上に反映することができる。
【００６５】
以上のように、本実施の形態２によれば、操作信号入力部２１０は、圧力検出値を含む操作信号を操作装置１００から受け取り、制御部２２０は、その操作信号に含まれる圧力検出値の大小に応じて強調表示の範囲の大きさを定めるので、実施の形態１で説明した効果を発揮することができる。
【００６６】
また、本実施の形態２によれば、ボタン１４０の押下や、操作装置１００本体を動かすことによって行われた操作も、同様の手順で表示画像に反映されるので、実施の形態１で説明した効果を発揮することができる。
【００６７】
また、本実施の形態２によれば、制御部２２０は、カーソル３００を画面表示している場合において、操作装置１００より強調表示を行う操作信号を受け取ると、カーソルを消去して強調表示を行うよう、画像表示部２４０に指示する。これにより、実施の形態１の図５で説明した動作が実現される。
そのためユーザは、強調表示の位置と、カーソル表示／強調表示の切り替えとを、グリップ部１２０を握ったり、操作装置１００を動かしたりといった直感的な操作で行うことができる。
【００６８】
また、本実施の形態２によれば、制御部２２０は、強調表示を行っている場合において、操作装置１００より受け取る圧力検出値を含んだ操作信号が途切れると、強調表示をＯＦＦして元の位置にカーソル３００を表示するよう、画像表示部２４０に指示する。これにより、実施の形態１の図５で説明した動作が実現される。
そのためユーザは、強調表示を行うときと逆の操作で強調表示をＯＦＦすることができるので、強調表示のＯＦＦに関しても、ＯＮするときと同様の直感的な操作感を発揮することができる。
【００６９】
実施の形態３．
本発明の実施の形態３では、強調表示の効果範囲を、表示画像の内容に応じて最適に制御する動作について説明する。なお、ここでいう表示画像の内容とは、表示画像が文字画像であるか、それとも一般画像であるか、ということを指す。
本実施の形態３に係る操作装置１００および画像表示装置２００の構成は実施の形態１〜２と同様であるため、説明を省略する。
【００７０】
図９は、表示画像に施す強調表示効果の最適範囲について説明するものである。
図９（ａ）に示すような文字画像の場合は、文字部分を強調表示する際は、文字部分の周辺が強調表示で覆われるように強調表示の範囲の形状と大きさを調整することが望ましい。
一方、図９（ｂ）に示すようなその他の一般画像の場合は、どの部分を強調表示で覆うことが望ましいかは、必ずしも一意には定まらない。
【００７１】
そこで、本実施の形態３に係る画像表示装置２００は、表示画像が文字画像であることを自動的に検出し、さらに強調表示の範囲を文字部分周辺に自動調整する。以下、そのための動作の詳細について説明する。
【００７２】
図１０は、文字部分の走査を行う様子を示すものである。
制御部２２０は、ビデオメモリ２３０に画素データを構成した後、その画素データを取得して走査し、当該画像が文字画像であるか一般画像であるかを判定する。
【００７３】
図１０（ａ）は、走査範囲を示すものである。走査範囲は任意のものでよく、画像全体を走査してもよいし、所定の領域のみを走査するようにしてもよい。走査は、画像の横方向に行う。その理由は後述する。
【００７４】
図１０（ｂ）は、図１０（ａ）の走査結果を示すものである。当該画像が文字画像である場合は、文字部分を走査すると、走査線上には、文字の線色に相当する色パターンが複数回出現する。これは、文字の線部分を横切るようにして走査を行ったことによる。
このことを利用して、画像を横方向に走査した際に、同色のパターンが複数回繰り返して出現する場合は、その部分は文字画像であると判定することができる。
【００７５】
画像の文字部分を検出することができた後は、検出した文字部分を中心として強調表示が施されるように、強調表示の範囲を調整する。具体的には、あらかじめ検出した文字部分のサイズに合わせるように強調表示の範囲を定める、などの方法が考えられる。
制御部２２０は、強調表示の範囲を定め、その範囲で強調表示を行うよう、画像表示部２４０に指示する。
【００７６】
なお、強調表示は、カーソル３００の位置を中心として行うため、カーソル３００が文字部分の上やその周辺に存在しないときにまで、強調表示の位置を強制的に文字部分の上やその周辺に移動させる必要はない。
強調表示の効果範囲を文字部分の範囲に合わせるのは、カーソル３００が当該文字部分の上や周辺に存在するときのみでよい。
【００７７】
次に、画素データを横方向に走査する理由について説明する。
実施の形態２の図８で説明したように、ビデオメモリ２３０は、画像を横方向に走査して得られる画素の順に画素データを保持しているため、画素データを当該画像の横方向に走査するということは、ビデオメモリ２３０の物理アドレスの順に走査を行うことに他ならない。
この点、例えば縦方向に走査する場合は、ビデオメモリ２３０の物理アドレスをスキップしながら画素データを取得しなければならないため、アクセス速度が順アクセスと比較して格段に遅くなり、画像表示装置２００の性能パフォーマンスに悪影響を及ぼす可能性がある。
そこで、本実施の形態３では、画素データの走査は画像の横方向に行うこととした。
【００７８】
なお、画像信号を当該画像の横方向に走査することに関し、画像信号そのものを直接走査しても、あるいはビデオメモリ２３０に格納されている画素データの走査をもってこれに代えても、最終的に得られる表示結果は同様であるが、ビデオメモリ２３０に一旦構成した画素データを走査する方が、処理の都合の観点から便宜である。
【００７９】
以上のように、本実施の形態３によれば、制御部２２０は、画像信号（またはビデオメモリ２３０から取得する画素データ）を当該画像の横方向に走査し、走査線上に同色のパターンが複数回繰り返して出現する場合は、その部分は文字画像であると判定する。
また、当該画像が文字画像であると判定した上で、文字部分の周辺を強調表示する際には、その文字部分の範囲に合わせて強調表示を行うよう画像表示部２４０に指示する。
これにより、強調したい文字部分をクローズアップして他の部分よりも際立たせることができるので、ユーザがその文字部分を訴求したい場合にこれを効果的に補助することができる。
【００８０】
また、本実施の形態３によれば、ビデオメモリ２３０は、画像を横方向に走査して得られる画素の順に画素データを保持している。
したがって、制御部２２０が画素データを走査するときは、ビデオメモリ２３０の物理アドレスの順に画素データを読み出せばよいので、画素データへのアクセス速度が高速になり、画像表示装置２００の性能パフォーマンスが向上する。
【００８１】
実施の形態４．
実施の形態３では、画像の文字部分を検出してその部分を強調表示することについて説明した。本発明の実施の形態４では、文字部分を強調することについて、人間が認識する視覚効果の観点を考慮した効果的な強調表示の手法を説明し、併せて文字画像以外の一般画像における強調表示についても説明する。
なお、本実施の形態４に係る操作装置１００および画像表示装置２００の構成は実施の形態１〜３と同様であるため、説明を省略する。
【００８２】
図１１は、本実施の形態４における強調表示の範囲について説明するものである。以下図１１を用いて、文字画像と一般画像それぞれの場合を対比しながら、またグリップ部１２０に加えられる圧力と関連付けて説明する。
図１１（ａ）は文字画像の強調表示、図１１（ｂ）は一般画像の強調表示、両者の間はグリップ部１２０に加えられる圧力（ユーザの握りの強さ）をパーセント表示したものである。
【００８３】
文字画像、一般画像ともに、グリップ部１２０に加えられる圧力が高くなると、その旨の操作信号が操作信号出力部１１０より操作信号入力部２１０に出力され、制御部２２０および画像表示部２４０の動作により、強調表示の範囲が大きくなる。圧力値が最大値に達すると、強調表示の範囲も最大化される。
しかし、両者の強調表示の形状は、以下に説明する点で相違する。
【００８４】
（ａ）文字画像
文字画像の強調表示は、横長の偏平な楕円形でなされる。即ち、強調表示の範囲を拡大する際は、横方向の長さの拡大率を、縦方向の長さの拡大率よりも大きくする。
これは、一般に画像表示装置２００を用いて文字画像を表示するのは、プレゼンテーションのように横方向に記載した文字を用いることが多い点に鑑みたものである。
【００８５】
したがって、文字が進行している方向（＝横方向）に合わせて強調表示を展開することで、人間の視覚上でも横方向に視線が向かうので、強調したい文字部分に意識を集中させることと良く合致する。これにより、訴求点を効果的に強調できるよう、画像表示装置２００がユーザをサポートすることを図る。
【００８６】
なお、楕円の縦方向の長さは一定とし、横方向のみに拡大することも考えられるが、このような拡大の仕方を行うと、人間の視覚上、横方向のみが極端に伸張されたような印象を与えてしまい、画像の中央部分が全体的に凹んでしまったかのような感覚を感じてしまうことがある。
そこで、本実施の形態４では、文字画像の強調表示は、横方向を長めにする偏平楕円形状を採用することとし、横方向の拡大幅を大きくするものの、縦方向にも同時に拡大することにした。
【００８７】
（ｂ）一般画像
一方、一般画像の強調表示は、縦方向・横方向いずれを長めに拡大することが好ましいかは、必ずしも一意には定まらない。そこで、一般画像の強調表示を行う際は、楕円のアスペクト比を、当該画像のアスペクト比と一致させることとする。
具体的には、投射画像のスクリーン縦横サイズ、もしくはその光学的・電気的な補正後の画像縦横サイズが画像表示装置２００自身で取得ないし事前設定できるため、そのアスペクト比と強調表示のアスペクト比を一致させればよい。
【００８８】
また、当該画像がスクリーンの一部のみしか占めない場合、例えば横長のスクリーンに対して縦長の画像を表示するような場合は、画像の端部を画素データの走査によって取得し、当該画像のアスペクト比を事前に取得するようにしてもよい。この例では、強調表示の形状も、縦長の楕円形状となる。
また、画像表示装置２００に入力される画像データが、所定の形式で保存された画像ファイルである場合（例えばメモリカードから画像データを供給するような場合）は、当該画像ファイル内に画像のアスペクト比の情報が記録されていることがあるので、この情報に基づいて当該画像のアスペクト比を事前に取得するようにしてもよい。
【００８９】
このように、強調表示のアスペクト比を当該画像のアスペクト比に合わせることで、人間の視覚上、視線が強調表示の中心部分に集まりやすく、訴求したい画像部分を効果的に際立たせることができる。
【００９０】
なお、当該画像が一般画像であるか否かは、例えば実施の形態３で説明した手法で文字画像と判定されなかった場合を全て一般画像と判定してもよいし、より積極的に当該画像が一般画像であるか否かを判定してもよい。
例えば、制御部２２０がビデオメモリ２３０より取得した画素データを、画像の横方向に走査して色彩変化の傾向を取得し、色が緩やかに変化している場合は、一般画像であるものと判定する、という手法が考えられる。
どの程度の変化量を緩やかであるとするかは、例えば適当な閾値を定め、画像の一定範囲内の色変化量がその閾値を超えれば急峻な変化である、などと判定すればよい。
【００９１】
以上のように、本実施の形態４によれば、文字部分を強調表示する際は、横長の偏平楕円形状で強調表示を行うので、人間の視覚認識の上で当該文字部分を効果的に強調表示することができる。
【００９２】
また、本実施の形態４によれば、一般画像を強調表示する際は、強調表示のアスペクト比を当該画像のアスペクト比に合わせるので、視聴者の視線を強調表示の中心部分に誘導し、効果的な強調表示を行うことができる。
【００９３】
実施の形態５．
以上の実施の形態１〜４において、強調表示の形状を楕円形とすることを説明したが、楕円の周縁部分をぼかす表示効果をさらに加えてもよい。
【００９４】
また、強調表示の形状は、楕円以外の例えば長方形などでもよいが、グリップ部１２０の握りを強くするにつれて、その時点のカーソル３００の位置から強調表示が次第に大きくなっていく場合は、円形またはこれに近い形状が中心点から次第に大きくなっていくという視覚的効果の方が、その部分にハイライトが当たっているという印象をより強く与える。
そこで、上記実施の形態１〜４の説明では、文字部分の横長の形状や、画像全体のアスペクト比に鑑み、強調表示の形状は、これらの形状に合わせた楕円形とすることにしたものである。
【００９５】
実施の形態６．
以上の実施の形態１〜５において、操作装置１００は、グリップ部１２０に加えられた圧力や、操作装置１００に加えられた加速度に対応した操作信号を出力することを説明した。
このとき、操作信号の内容は、被操作機器（以上の説明では画像表示装置２００）が解釈できるものでなければならないのは当然であるが、どの程度まで操作信号の内容を具体化すればよいかは、操作装置１００と被操作機器の間で合意しておく必要がある。
具体的には、以下の（１）（２）のようにすることが例として考えられる。
【００９６】
（１）操作装置１００は、各センサやボタン１４０押下の検出結果のみを、操作信号として出力する。その操作信号をどのように解釈して対応する機能を実行するかは、被操作機器に委譲する。
（２）操作装置１００は、各センサやボタン１４０押下の検出結果を、被操作機器が解釈できる命令形式に変換し、被操作機器に対する直接的な命令信号として、操作信号を出力する。被操作機器は、受け取った操作信号が表す命令を実行する。
【００９７】
上記（１）の場合は、操作装置１００の仕様を汎用化しやすい点で有利である。ただし、被操作機器側で操作信号の内容を解釈する負担が発生する。
上記（２）の場合は、被操作機器側の命令解釈負担は低減するが、操作装置１００の仕様が被操作機器固有のものに限定される。
いずれの手法を選択するかは、操作装置１００や被操作機器に求められる機能、汎用性などに鑑み、適宜最適に設計する。
【００９８】
例えば、操作装置１００はセンサの取得値を忠実・簡素に通知し、画像表示装置２００側で判定の閾値を含めて効果の範囲を調整する手法を採用すれば、製品ごとの改良を重ねる点から好ましい。
一方、センサの誤検出をカットし、適正な信号のみを通知する、という機能を操作装置１００側で実装することで、画像表示装置２００側を作り変えることなく、センサの性能向上を機能に反映することができる。
このように、各機器の機能をどこまで求めるかは、機器の役割に応じて適宜分担されることが好ましい。
【００９９】
実施の形態７．
操作装置１００と画像表示装置２００は、必ずしも１台ずつ対応させなければならないわけではなく、１台の操作装置１００で複数台の画像表示装置２００を操作するように構成してもよい。反対に、１台の画像表示装置２００に対して、複数台の操作装置１００を組み合わせて、複数のユーザがプレゼンテーションを行う場合の利便性を図ってもよい。
例えば操作装置１００と画像表示装置２００を個別に製造し、製造後に両者を１ないし複数組み合わせて、画像表示システムを構成することもできる。
【図面の簡単な説明】
【０１００】
【図１】実施の形態１に係る操作装置１００の外観図である。
【図２】操作装置１００の内部的な機能ブロック図である。
【図３】画像表示装置２００にカーソル３００を表示させる操作を示すものである。
【図４】カーソル３００を移動させる操作を示すものである。
【図５】カーソル３００の位置を強調表示する操作を示すものである。
【図６】実施の形態２に係る画像表示装置２００の機能ブロック図である。
【図７】ビデオメモリ２３０のレイヤ構成を説明するものである。
【図８】ビデオメモリ２３０が保持する画素データの格納順を説明するものである。
【図９】表示画像に施す強調表示効果の最適範囲について説明するものである。
【図１０】文字部分の走査を行う様子を示すものである。
【図１１】実施の形態４における強調表示の範囲について説明するものである。
【符号の説明】
【０１０１】
１００  操作装置、１１０  操作信号出力部、１２０  グリップ部、１３０  圧力センサ、１４０  ボタン、１５０ａ〜１５０ｂ  係止部、１６０  加速度センサ、１７０  信号回路、１８０  ＣＰＵ、２００  画像表示装置、２１０  操作信号入力部、２２０  ＣＰＵ、２３０  ビデオメモリ、２４０  画像表示部、２５０  画像信号取得部。
【図１】
0004973508.tif 000002
【図２】
0004973508.tif 000003
【図３】
0004973508.tif 000004
【図４】
0004973508.tif 000005
【図５】
0004973508.tif 000006
【図６】
0004973508.tif 000007
【図７】
0004973508.tif 000008
【図８】
0004973508.tif 000009
【図９】
0004973508.tif 000010
【図１０】
0004973508.tif 000011
【図１１】
0004973508.tif 000012